(57)【特許請求の範囲】
【請求項１】
２本の捻られた所定長さをもつワイヤを含有し、その間に保持された複数の剛毛を有するコア部を含む、メイクアップ、特にマスカラを適用するためのブラシであって、前記複数の剛毛の少なくとも数本が変形可能な部分をもつ剛毛で構成され、該変形可能な部分をもつ剛毛の各々は、横断面において、中央部分と２つの側部とを有し、該２つの側部は中央部分に対して、剛毛の長さ方向に延びる帯域を介して互いにヒンジ結合されており、前記帯域は、横断面において、前記変形可能な部分をもつ剛毛の残りの部分よりも低減された厚みをもつか、又は、前記残りの部分を形成する材料とは異なり、かつ、前記残りの部分よりも高い可撓性をもつ材料で作成されており、前記側部は前記中央部分に対して、前記帯域の回りに枢軸旋回して相互に対して折り曲げることができる、ことを特徴とするブラシ。
【請求項２】
２本の捻られた所定長さをもつワイヤを含有し、その間に保持された複数の剛毛を有するコア部を含む、メイクアップ、特にマスカラを適用するためのブラシであって、前記複数の剛毛の少なくとも数本が変形可能な部分をもつ剛毛で構成され、該変形可能な部分をもつ剛毛の各々は、横断面において、２つの中央部分と２つの側部とを有し、該２つの中央部分は、一方の側に沿って相互に、また、その反対側に沿って各側部に対して、剛毛の長さ方向に延びる帯域を介して互いにヒンジ結合されており、前記帯域は、横断面において、前記変形可能な部分をもつ剛毛の残りの部分よりも低減された厚みをもつか、又は、前記残りの部分を形成する材料とは異なり、かつ、前記残りの部分よりも高い可撓性をもつ材料で作成されており、前記２つの中央部分および２つの側部は、前記帯域の回りに枢軸旋回して相互に対して折り曲げることができる、ことを特徴とするブラシ。
【請求項３】
前記変形可能な部分を有する剛毛が、押し出しにより生成され、かつ、押し出し形状において、横断面全体の外側輪郭が円形である、ことと特徴とする請求項１又は２に記載のブラシ。
【請求項４】
剛毛がロール掛けされ、分岐部を有する、ことを特徴とする請求項１〜３の何れか１項に記載のブラシ。
【請求項５】
前記変形可能な部分をもつ剛毛は、横断面においてＺ形をなしている、ことを特徴とする請求項１に記載のブラシ。
【請求項６】
前記変形可能な部分をもつ剛毛は、横断面においてＭ形をなしている、ことを特徴とする請求項２に記載のブラシ。
【請求項７】
変形可能な部分をもつ剛毛であって、該変形可能な部分をもつ剛毛の各々は、横断面において、中央部分と２つの側部とを有し、該２つの側部は中央部分に対して、剛毛の長さ方向に延びる帯域を介して互いにヒンジ結合されており、前記帯域は、横断面において、前記変形可能な部分をもつ剛毛の残りの部分よりも低減された厚みをもつか、又は、前記残りの部分を形成する材料とは異なり、かつ、前記残りの部分よりも高い可撓性をもつ材料で作成されており、前記側部は前記中央部分に対して、前記帯域の回りに枢軸旋回して相互に対して折り曲げることができる、ことを特徴とする剛毛。
【請求項８】
変形可能な部分をもつ剛毛であって、該変形可能な部分をもつ剛毛の各々は、横断面において、２つの中央部分と２つの側部とを有し、該２つの中央部分は、一方の側に沿って相互に、また、その反対側に沿って各側部に対して、剛毛の長さ方向に延びる帯域を介して互いにヒンジ結合されており、前記帯域は、横断面において、前記変形可能な部分をもつ剛毛の残りの部分よりも低減された厚みをもつか、又は、前記残りの部分を形成する材料とは異なり、かつ、前記残りの部分よりも高い可撓性をもつ材料で作成されており、前記２つの中央部分および２つの側部は、前記帯域の回りに枢軸旋回して相互に対して折り曲げることができる、ことを特徴とする剛毛。
【請求項９】
押し出し法により作成され、その押し出し形状において、横断面全体の外側輪郭が円形である、ことを特徴とする請求項８記載の剛毛。
【請求項１０】
所定の長さの一緒に捻られて捩じれを形成している２本のワイヤで作成され、その間に剛毛を保持しているコアを含むブラシの製法であって、
前記ストリップの長さに沿って延びる帯域によって相互に連結された、少なくとも３つの部分を有する、プラスチック材料製の造形ストリップを押し出す工程とを有し、前記帯域は、横断面において、前記変形可能な部分をもつストリップの残りの部分よりも低減された厚みをもつか、又は、前記残りの部分を形成する材料とは異なり、かつ、前記残りの部分よりも高い可撓性をもつ材料で作成されており、前記３つの部分は、前記帯域の回りに枢軸旋回して相互に対して折り曲げることができ、
更に、造形ストリップを切断して、変形可能な部分をもつ剛毛を生成する工程と、
変形可能な部分をもつ剛毛を、所定の長さの２本のワイヤ間に置く工程とを有し、各変形可能な部分をもつ剛毛は、その長手方向に対して任意の角度に配向されており、
更に、所定長さの２本のワイヤを一緒に捻って、その間に剛毛を保持する捩じれを形成する工程と、を含むことを特徴とする方法。
【請求項１１】
更に、剛毛をフライス削りする工程を含む、ことを特徴とする請求項１０記載の方法。
【請求項１２】
マスカラ等のメイクアップのコンディショニングおよびアプリケータデバイスであって、メイクアップを含有するリザーバと、ワイパー部材と、一端部にアプリケータエレメントを備え、かつ他端部にハンドルエレメントを備えた柄を含み、かつまたリザーバ用のクロージャーキャップをも構成するアプリケータとを含み、アプリケータエレメントが、上記請求項１〜６の何れか１項に記載のブラシにより構成される、ことを特徴とするデバイス。
【請求項１３】
２本の捻られた所定長さをもつワイヤを含有し、その間に保持された複数の剛毛を有するコア部を含む、メイクアップ、特にマスカラを適用するためのブラシであって、前記複数の剛毛の少なくとも数本が変形可能な部分をもつ剛毛で構成され、該変形可能な部分をもつ剛毛の各々は、横断面において、互いに連結された少なくとも３つの部分を有し、そのうちの２つの側部は中央部分に対して、剛毛の長さ方向に延びる帯域を介して互いにヒンジ結合されており、前記帯域は、横断面において、前記変形可能な部分をもつ剛毛の残りの部分よりも低減された厚みをもつか、又は、前記残りの部分を形成する材料とは異なり、かつ、前記残りの部分よりも高い可撓性をもつ材料で作成されており、前記側部は前記中央部分に対して、前記帯域の回りに枢軸旋回して相互に対して折り曲げることができる、ことを特徴とするブラシ。
【請求項１４】
各々、その長さに沿って、少なくとも２つの優先的に変形する帯域をもち、該優先的に変形する帯域は、低減された厚みをもつか、または、該帯域以外の残りの部分を形成する材料とは異なる高い可撓性をもつ材料で作成されている、ことを特徴とする変形可能部分をもつ剛毛。
【発明の詳細な説明】
【０００１】
【産業上の利用分野】
本発明は、メイクアップ特にマスカラを適用するためのブラシに係わり、ブラシは、捻られた所定長さの２本のワイヤを含み、ワイヤ間に保持された剛毛を有する、コア部を含有する。
【０００２】
【従来技術】
多数のこの種の型のブラシが、特にフランス特許第８８  ０２１１４号により公知であるが、メイクアップを更に良好に適用できるような、改善されたブラシに対する要求がある。
【０００３】
【発明が解決しようとする課題】
従って、本発明の目的はメイクアップ特にマスカラを適用するためのブラシを提供することにある。
本発明のもう一つの目的は、上記ブラシの製法を提供することにある。
本発明の更なる目的は、マスカラ等のメイクアップ用の、コンディショニングおよびアプリケータデバイスを提供することにある。
【０００４】
【課題を解決するための手段】
本発明のブラシは、捻られた所定長さの２本のワイヤ間に保持された剛毛の少なくとも幾分かが、変形可能な部分をもつ剛毛により作成され、その各々は、その長さに沿って伸びた、優先的に変形する少なくとも２つの帯域を有する。
従って、本発明の変形可能な部分をもつ剛毛は可撓性を呈し、可撓性は、剛毛に印加された曲げまたは圧縮力の方向に依存する。
これら剛毛は、好ましくはブラシのコア部に固定されており、長手方向の軸に対して、定められていない角度に配向されており、その結果、これら全てが、コアを構成する捻られた所定長さの２本のワイヤ間で、同一の様式では変形できないことを確保している。
結果として、ブラシがワイパー部材上に通された場合に、剛毛全てが同一の様式でぬぐわれる訳ではなく、また、例えば中実の円形断面を有し、曲げ力が与えられた方向とは無関係に曲げに対して同一の抵抗を与える公知のブラシの場合よりも、メイクアップが、首尾よくメイクアップを適用するのにより好ましい状態でブラシ上に分布する。
ブラシの変形可能な部分をもつ剛毛は、またこれらが保持されているコア部の、捻られた所定長さの２本のワイヤから拡散する方向に延びている。
【０００５】
このことは、睫毛がブラシの剛毛間に侵入するのを容易にし、その結果として睫毛を良好に櫛けずりかつ良好にメイクアップすることを可能とする。
本発明の変形可能な部分をもつ剛毛は、プラスチック材料の押し出し成形により作られ、かつ押し出し形状において、剛毛はその外形が円形であるような断面を有している。
ブラシの製造中に、剛毛は実質的に中実の円形断面をもつ剛毛と同様に挙動し、かつこれらは、特にブラシを製造すべく捻られる、所定の長さのワイヤ間に剛毛を配置する目的にとって、取扱いが容易である。
特定の一態様において、優先的に変形する帯域は、低減された厚みをもつ帯域である。
もう一つの特定の一態様において、優先的に変形する帯域は、剛毛の残部を形成する材料とは異なる材料で作成される。
更に別の特定の一態様において、変形可能な部分をもつ剛毛の少なくとも一つは、少なくとも２つの部分を有し、これらの部分は、第三の部分、例えば２つの側部がヒンジ結合されている中央部分に対して相対的に移動できる。
【０００６】
一変形において、変形可能部分をもつ剛毛の少なくとも一方は、２つの中央部分を有し、中央部分はその一方の側で相互にヒンジ結合されており、かつその各々は他方の側において側部とヒンジ結合されている。
本発明は、また各々がその長さ方向に沿って、優先的に変形する少なくとも２つの帯域を有する、変形可能部分をもつ剛毛をも提供する。
本発明は、更に所定の長さの一緒に捻られた２本のワイヤを含み、その間に剛毛を保持するコアを含むブラシの製法を提供し、
優先的に変形する帯域によって相互に連結された、少なくとも３つの部分を有する、プラスチック材料製の造形ストリップを押し出す工程と、
該造形ストリップを切断して、変形可能な部分をもつ剛毛を生成する工程と、
このようにして得た該変形可能な部分をもつ剛毛を、所定の長さの２本のワイヤ間に置く工程とを有し、各変形可能な部分をもつ剛毛は、それ自体の軸方向について任意な角度方向に配向されており、
更に、所定長さの２本のワイヤを一緒に捻って捩じれを形成し、その間に該剛毛を保持する工程を有することを特徴としている。
【０００７】
好ましくは、本発明の方法は更に、該剛毛をフライス削り、又は、ロール掛けする（ｍｉｌｌｉｎｇ）工程を含む。
本発明は、更にマスカラ等のメイクアップのコンディショニングおよびアプリケータデバイスを提供し、該デバイスは、メイクアップを含有するリザーバと、ワイパー部材と、一端部にアプリケータ要素を備え、かつ他端部にハンドル要素を備えた柄をもち、かつまた該リザーバ用のクロージャーキャップをも構成するアプリケータとを含み、該アプリケータ要素が、上記のようなブラシにより構成されることを特徴とする。
本発明のその他の特徴並びに利点は、本発明の非限定的な態様の以下の詳細な説明を読み、かつ添付図を検討することにより明らかとなる。
【０００８】
【発明の実施の形態】
図１に示されたブラシ１は、所定長さの２本のワイヤを捻って捩じれを形成したワイヤから作成したコア部２を含み、ワイヤ間には変形可能な部分をもつ剛毛３が保持されている。
図２は、図面の明確にするために、コア２を構成する所定長さの２本のワイヤ２ａおよび２ｂと、数本の剛毛３のみを示した図である。一例として、意図した型のメイクアップの種類によって、各捩じれは５〜５０本の剛毛を含むことができる。剛毛３は、コア２を構成する所定長さの２本のワイヤ２ａおよび２ｂ間に、その長さに沿った約半分にわったって保持されている。図面を明確にするために、剛毛の前方に延びた半分だけが図２に示されている。
図３は、単独の剛毛３の半分を示す。
この剛毛３は中央部分３ｂおよび２つの側部３ａおよび３ｃを有し、またその断面は一般的にＺ  形である。
中央部分３ｂはレンズ状の輪郭の断面を有し、一方、側部３ａおよび３ｃ各々はアーチ状の断面を有する。
【０００９】
これら各々は、その一方の側において、中央部分３ｂの一方の側にヒンジ結合されている。
剛毛３は、プラスチック材料、例えばポリアミドを押出すことにより製造される。
図１６に示したように、ダイの出口において、剛毛３はその断面において図４に示すような構成をもつ。
この構成では、側部３ａおよび３ｃは、その外側に凸状の外面が円Ｃ上にあるように配置され、一方、中央部分３ｂは該円Ｃの径に沿って延びている。
剛毛３は低減された厚みをもつ帯域３ｅおよび３ｆを有し、これらはそれぞれ側部３ａおよび３ｃと中央部分３ｂとを結合しており、その結果、剛毛３が２つ折りの折り目に沿って容易に変形できる。
剛毛３は、種々の様式で変形するが、数種のみの可能な形状が図５〜図７に示されている。
特に、剛毛３は、その側部３ａおよび３ｃを拡げることにより、図５に示したように変形できる。
図６に示したように、剛毛３は、その側部３ａおよび３ｃを内側に移動させて、中央部分３ｂに向けて折り畳むことによって、変形することもできる。
【００１０】
一変形においては、２つの側部の一方のみ３ａまたは３ｃを、中央部分３ｂに向けて折り畳み、一方、他方の側部を、図７に示すように、中央部分から遠ざけて折り畳むこともできる。
図２に示した剛毛３に関連して、これらがブラシの該コアに固定されている場合、即ちその長さに沿った約半分に固定されている場合には、側部３ａおよび３ｃは、図６に示したように、中央部分３ｂ上に折り曲げられている。
しかしながら、剛毛がブラシのコア部に固定された場合には、剛毛３は幾つかの他の形態をとることができ、特にこれらは、それぞれ図５〜図７に対応する展開されたまたは半開きの形態の一つをとることができる。
図３において見られるように、１本の剛毛３の断面は、剛毛３に沿った位置の関数として変化する。
一般的に、本発明の変形可能な部分をもつ剛毛は、その自由端部に近接するように押し出された、その形状に戻ろうとする傾向をもつ。
【００１１】
かくして、図３に示した例においては、剛毛３は、ブラシに固定されている折り畳み形状から、図４に示されたような、その端部における押し出し形状へと移行する傾向がある。
部分３ａと３ｂまたは３ｂと３ｃは、共に空洞３ｇおよび３ｈを画成し、空洞にメイクアップを収容することができる。剛毛３には、その全長に渡りメイクアップを担持させることができる。
図８〜図１１は、参照番号４で示された、本発明の剛毛の第二の態様を示す。上記の剛毛３と同様に、これは中央部分４ｂと、２つの側部４ａおよび４ｃを有し、側部４ａおよび４ｃは、優先的変形ラインを画成する低減された厚みをもつ各帯域４ｅおよび４ｆを介して、中央部分４ｂと結合している。
図８は、押し出しダイを離れる際の剛毛４の形状を示す。
この剛毛４の断面は、従って一般的にはＨ  形である。
側部４ａおよび４ｃはアーチ型の断面を有し、また中央部分４ｂはレンズ状の断面をもつ。
図８の構成において、側部４ａおよび４ｃは、その外面が円Ｃを占有するように配置されている。
【００１２】
中央部分４ｂは該側部４ａおよび４ｃの凹状面と接続している。
図９〜図１１は、剛毛４が枢軸旋回によりその位置４ａおよび４ｃをとることができる、種々の構成を示す。
記載した例においては、中央部分４ｂは、正確に側部４ａおよび４ｃの凹状面の中央に接続されてはいないが、そこから僅か上方に偏位しており、側部４ａおよび４ｃが図１１に示した形状をとることを可能としており、図ではその上部部分が中央部分４ｂ上に折り曲げられている。
本発明の変形可能部分をもつ剛毛は、３以上の互いにヒンジ結合された部分をもつことができる。
一例として、図１２〜図１５は、参照番号５で示される変形可能な部分をもつ剛毛がとり得る種々の形状を示し、該剛毛は一方の側に沿って相互にヒンジ結合され、かつその反対側に沿って各側部５ａおよび５ｄとヒンジ結合した、２つの中央部分５ｂおよび５ｃを有している。
中央部分５ｂおよび５ｃ各々の断面は、その輪郭がレンズ状であり、またこれらは優先的に変形する帯域を画成する低減された厚みをもつ帯域５ｆにより相互に接続している。
【００１３】
中央部分５ｂおよび５ｃは、同様に優先的に変形する帯域を画成する低減された厚みをもつ帯域５ｅおよび５ｆによって、側部５ａおよび５ｄに接続している。
押し出された形状において、剛毛５は、一般的にＭ  形の断面をもち、その側部５ａおよび５ｄは、その凸状外面が円Ｃを占有するように配置されている。
剛毛５は、その種々の位置が優先的に変形する帯域の回りに枢軸旋回することにより変形できる。特に、該中央部分５ｂおよび５ｃは、図１３に示したように、相互に対して折り曲げることができる。
剛毛５は、図１４に示すように、展開された形状をとることもできる。
剛毛５は、中央部分５ｂおよび５ｃは展開された状態にあり、またその側部５ａおよび５ｄは相互に対して折り曲げられた、図１５に示したような形状をとることもできる。
上記の剛毛３、４および５各々は、当然のことながら、図示していない他の形状をとることもできる。
【００１４】
上記のように、剛毛はプラスチック材料、例えばポリアミドを、複数のオリフィス１１をもつダイ１０によって押出すことにより製造する。
各オリフィスの断面は、作成すべき剛毛の断面、例えば図１６に一例として示されたダイ中の剛毛３の断面に相当する。
極めて長い造形ストリップを押し出し、引き続き該剛毛３を製造するのに望ましい長さに切断し、該剛毛を次にビンに保存する。
該ビンを、ギャップ１２をもつコームを供給するのに使用する。
只一つのかかるギャップが図１７に示されている。
コームの各ギャップ１２に収容された剛毛３は、相互に平行であるが、該剛毛はその長手方向の軸に対して、決められていない角に配向されている。該コームの該ギャップ１２に収容された該剛毛３は、１本のワイヤを半分に折り曲げることにより形成される、２つの実質的に平行な所定の長さのワイヤ間に配置される。該２つの所定長さのワイヤを、相互に関して相対的に回転するように設計された各組みのジョー内に、その各端部を把持する。
剛毛は、等しい長さだけ、該所定長さのワイヤにより画成される面の何れかの側に突出している。
ジョーの組みを回転した場合に、所定長さのワイヤは一緒に捻られ、そのため捩じれが形成され、その間に該剛毛３が把持される。
その後、剛毛をフライス削りして、所定の輪郭をもつブラシを生成することが有利である。
図１８はフライス削り後の図２に示した剛毛を示す。
該フライス削りの効果は、該剛毛が磨耗面に対して延びる方向およびブラシと磨耗面との間の相対的な速度に依存する。
【００１５】
フライス削りは、該部分３ａと３ｂ並びに３ｂと３ｃを一緒に結合している、低減された厚みをもつ該帯域３ｆおよび３ｅを、該剛毛の端部において、除去する作用をもつことができ、従って該部分は最早該剛毛の該端部において一緒にヒンジ結合されておらず、結果として睫毛の櫛けずりを改善する分岐部１５を形成する。
フライス削りは、また剛毛を構成する該プラスチック材料を溶融して、該材料のボールを形成する作用をもつことができる。
該剛毛をフライス削りするための方法は、所定のメイクアップ効果に応じて選択される。
図１９は包装並びにアプリケータデバイスを示し、該デバイスは、該メイクアップを収容するリザーバ２１、該ブラシの外径よりも小さな径をもつ円形のオリフィスを画成する環状のリップにより構成される、ワイパー部材２２、および一端において本発明のブラシを備え、かつ他端においてハンドル要素２５を備えた柄２４を含むアプリケータを含有する。
当然のことながら、本発明は上記態様により何等制限されない。
特に、剛毛は他の形状の断面をもつように作成できる。
優先的に変形する帯域は、必ずしも低減された厚みをもつ帯域である必要はなく、例えばこれらは高い可撓性をもつ材料の帯域により構成でき、この場合剛毛は多数のプラスチック材料を同時押し出しすることにより作成される。
【図面の簡単な説明】
【図１】剛毛をフライス削りする前の、本発明の一態様を構成するブラシを示す、模式的な図である。
【図２】図１の細部を拡大して示した図である。
【図３】本発明の一態様を構成する変形可能な部分をもつ単一の剛毛の半分を、斜視図で示したものである。
【図４】図３に示した、該変形可能な部分をもつ剛毛のとることのできる形状を示す図である。
【図５】図３に示した、該変形可能な部分をもつ剛毛のとることのできる形状を示す図である。
【図６】図３に示した、該変形可能な部分をもつ剛毛のとることのできる形状を示す図である。
【図７】図３に示した、該変形可能な部分をもつ剛毛のとることのできる形状を示す図である。
【図８】本発明のもう一つの態様を構成する、変形可能な部分をもつ剛毛のとることのできる形状を示す図である。
【図９】本発明のもう一つの態様を構成する、変形可能な部分をもつ剛毛のとることのできる形状を示す図である。
【図１０】本発明のもう一つの態様を構成する、変形可能な部分をもつ剛毛のとることのできる形状を示す図である。
【図１１】本発明のもう一つの態様を構成する、変形可能な部分をもつ剛毛のとることのできる形状を示す図である。
【図１２】本発明の更に別の態様を構成する、変形可能な部分をもつ剛毛のとることのできる形状を示す図である。
【図１３】本発明の更に別の態様を構成する、変形可能な部分をもつ剛毛のとることのできる形状を示す図である。
【図１４】本発明の更に別の態様を構成する、変形可能な部分をもつ剛毛のとることのできる形状を示す図である。
【図１５】本発明の更に別の態様を構成する、変形可能な部分をもつ剛毛のとることのできる形状を示す図である。
【図１６】図３に示したような変形可能な部分をもつ剛毛を製造するための、造形ストリップの押し出しを示す図である。
【図１７】２つの所定長さのワイヤ間に挿入するのに使用する、櫛中のギャップ内に一緒にまとめられた幾つかの数の剛毛を示す図である。
【図１８】フライス削りされた後の、図３に示した変形可能な部分をもつ剛毛を示す図である。
【図１９】本発明の包装かつアプリケータデバイスを示す図である。
【符号の説明】
２ａ、２ｂ・・・・２つの一緒に捻られた所定長さのワイヤ
３、４、５・・・・剛毛
１５・・・・分岐部
２１・・・・リザーバ
２２・・・・ワイパー部材
２４・・・・柄
２５・・・・ハンドル要素
【図１】
0003576508.tif 000002
【図２】
0003576508.tif 000003
【図３】
0003576508.tif 000004
【図４】
0003576508.tif 000005
【図５】
0003576508.tif 000006
【図６】
0003576508.tif 000007
【図７】
0003576508.tif 000008
【図８】
0003576508.tif 000009
【図９】
0003576508.tif 000010
【図１０】
0003576508.tif 000011
【図１１】
0003576508.tif 000012
【図１２】
0003576508.tif 000013
【図１３】
0003576508.tif 000014
【図１４】
0003576508.tif 000015
【図１５】
0003576508.tif 000016
【図１６】
0003576508.tif 000017
【図１７】
0003576508.tif 000018
【図１８】
0003576508.tif 000019
【図１９】
0003576508.tif 000020